(57)【要約】【課題】ペンを装着可能な筐体を備える電子機器において、ペン先に外力が作用した場合においてもペンの装着状態が容易に解除されないようにする。【解決手段】ペン先１１０と胴部１２０とを有するペン１００を装着可能な筐体２２を備える電子機器１であって、筐体２２の一側面２２ｃに、ペン先１１０を保持する第一保持部４１と、胴部１２０を保持する第二保持部４２と、を設ける。【選択図】図３
2019016087.tif 000002
【特許請求の範囲】
【請求項１】
ペン先と胴部とを有するペンを装着可能な筐体を備える電子機器であって、
前記筐体の一側面には、前記ペン先を保持する第一保持部と、前記胴部を保持する第二保持部と、が設けられている、電子機器。
【請求項２】
前記第一保持部は、前記筐体の前記一側面から外部に突出した状態から、前記筐体の内部に収納された状態へと移行可能とされるキャップを有する、請求項１に記載の電子機器。
【請求項３】
前記キャップは、前記ペン先を係止させる係止部を有しており、
前記ペン先を前記係止部に係止させて前記キャップを外部に引き出す外力を加えることにより、前記キャップが前記筐体の前記一側面から外部に突出して前記ペン先を保持する、請求項２に記載の電子機器。
【請求項４】
前記外力を除去したときに前記キャップを前記筐体の内部に引き込む引込機構を備える、請求項３に記載の電子機器。
【請求項５】
前記胴部は、突出部を有し、
前記第二保持部は、前記突出部を挿入させる穴部を有する、請求項１から４の何れか一項に記載の電子機器。
【請求項６】
前記突出部は、凹部を有し、
前記穴部は、前記突出部を前記穴部に挿入させたときに前記凹部に係止する凸部を有する、請求項５に記載の電子機器。
【請求項７】
前記突出部は、凸部を有し、
前記穴部は、前記突出部を前記穴部に挿入させたときに前記凸部を係止させる凹部を有する、請求項５に記載の電子機器。
【請求項８】
前記胴部は、穴部を有し、
前記第二保持部は、前記穴部に挿入される突出部を有する、請求項１から４の何れか一項に記載の電子機器。
【請求項９】
前記胴部は、ペン側端子を有し、
前記第二保持部は、前記ペン側端子に電気的に接続される筐体側端子を有し、
前記第二保持部によって前記胴部を保持したときに、前記筐体に設けられた電源の電力が、前記筐体側端子及び前記ペン側端子を経由して、前記ペンへと供給可能とされる、請求項１から８の何れか一項に記載の電子機器。
【請求項１０】
前記胴部は、磁力によって吸着される被吸着部分を有し、
前記筐体の前記一側面には、前記被吸着部分を吸着させる磁性体が設けられている、請求項１から９の何れか一項に記載の電子機器。
【発明の詳細な説明】
【技術分野】
【０００１】
本発明は、電子機器に関する。
【背景技術】
【０００２】
従来より、ノートブック型パーソナルコンピュータ、タブレット型パーソナルコンピュータ、スマートフォン等の携帯型電子機器に対して入力操作を行うために、ペン型の入力装置（以下、単に「ペン」と称する）が使用されている。このため、現在においては、このようなペンを電子機器の筐体に装着するための手段（例えば、ペン挿入用の挿入穴を筐体に設ける等）が種々提案されている。
【０００３】
ところで、近年においては、携帯型電子機器の小型化及び薄型化が進められていることから、従来のようにペン全体を丸ごと挿入可能な比較的大きな挿入穴を筐体に設けることが難しくなっている。このため、比較的小さな挿入穴を筐体に設けるとともに、ペンの胴部とクリップとの間に形成される間隙の寸法を変更する機構を設け、間隙を比較的広くした状態でクリップを挿入穴に挿入し、クリップと胴部とによって筐体の壁部を挟持してペンを筐体に装着する技術が提案されている（例えば、特許文献１参照）。また、磁力によってペンを筐体に吸着させる機構も提案されている。
【先行技術文献】
【特許文献】
【０００４】
【特許文献１】特開２０１７−９７５８８号公報
【発明の概要】
【発明が解決しようとする課題】
【０００５】
しかし、特許文献１に記載されたようにペンの一部（ペン先と反対側にあるクリップ）のみを筐体で保持する技術を採用すると、ペン先に外力が作用した場合に容易に装着状態が解除されてペンが筐体から外れてしまうという問題がある。また、磁力によってペンを筐体に吸着させる機構を採用するのみでは、ペン（特にペンの端部）に対して外力が作用した場合に容易に吸着状態が解除されてしまい、一方で磁力を過度に強くするとペンを筐体から取り外すために大きな力が必要となり取扱い難くなるという問題がある。
【０００６】
本発明は、かかる事情に鑑みてなされたものであり、ペンを装着可能な筐体を備える電子機器において、ペン先に外力が作用した場合においてもペンの装着状態が容易に解除されないようにすることを目的とする。
【課題を解決するための手段】
【０００７】
前記目的を達成するため、本発明の一態様に係る電子機器は、ペン先と胴部とを有するペンを装着可能な筐体を備えるものであって、筐体の一側面には、ペン先を保持する第一保持部と、胴部を保持する第二保持部と、が設けられているものである。
【０００８】
かかる構成を採用すると、筐体の一側面に設けられた第一保持部及び第二保持部により、ペンのペン先及び胴部を各々保持することができる。すなわち、二箇所でペンを保持することができるため、一箇所でペンを保持する従来の機構と比較するとより確実にペンを保持することができる。また、第一保持部によりペン先を保持することができるため、ペン先に外力が作用した場合においてもペンの装着状態が容易に解除されることがない。
【発明の効果】
【０００９】
本発明の上記態様によれば、ペンを装着可能な筐体を備える電子機器において、ペン先に外力が作用した場合においてもペンの装着状態が容易に解除されないようにすることが可能となる。
【図面の簡単な説明】
【００１０】
【図１】本発明の実施形態に係る電子機器を示すものであり、（Ａ）は平面図、（Ｂ）は側面図である。
【図２】図１に示す電子機器の本体側筐体にペンが装着されていない状態を示す斜視図である。
【図３】図１に示す電子機器の本体側筐体にペンが装着されている状態を示す斜視図（ペン側から見た図）である。
【図４】図１に示す電子機器の第一保持部によってペンのペン先が保持されている状態を示す拡大平面図である。
【図５】図１に示す電子機器の本体側筐体にペンが装着されている状態を示す斜視図（ペンの反対側から見た図）である。
【図６】図１に示す電子機器の第一保持部のキャップに設けられたペン先保持用凹部を示す拡大斜視図である。
【図７】図１に示す電子機器の第二保持部（穴部）の拡大斜視図である。
【図８】図１に示す電子機器の本体側筐体に装着されるペンの突出部付近の拡大斜視図である。
【図９】図１に示す電子機器の穴部にペンの突出部が挿入され、穴部の凸部に突出部の凹部が係止した状態を示す拡大斜視図である。
【図１０】図１に示す電子機器の穴部の凸部と、ペンの突出部の凹部と、の係止状態を示す断面図である。
【発明を実施するための形態】
【００１１】
以下、図面を参照して、本発明の実施形態について説明する。なお、以下の実施形態はあくまでも好適な適用例であって、本発明の適用範囲がこれに限定されるものではない。
【００１２】
まず、図１を用いて、本発明の実施形態に係る電子機器１の全体構成について説明する。本実施形態においては、電子機器１として、ノートブック型パーソナルコンピュータを例示する。なお、説明の便宜上、前後左右及び上下の各方向に関しては、ユーザがディスプレイを視認しながらキーボードを使用する場合において、ユーザからノートブック型パーソナルコンピュータを見たときの方向を基準にしている。
【００１３】
本実施形態に係る電子機器１は、図１に示すように、ディスプレイ１１を有する蓋体１０と、キーボード２１を有する本体２０と、蓋体１０を本体２０に対して開閉可能に連結するヒンジ機構３０と、を備えている。ヒンジ機構３０は、蓋体１０の左右の下端部と本体２０の左右の後端部とを回転可能に連結している。ディスプレイ１１は、蓋体１０を閉じた状態において本体２０に対向する面が、各種情報を表示するように構成されている。蓋体１０は、カバー１２ａ及びベゼル１２ｂからなる蓋体側筐体１２を有しており、カバー１２ａがディスプレイ１１の背面側を固定し、ベゼル１２ｂがディスプレイ１１の正面側周縁部を囲うように設けられている。本体２０は、上カバー２２ａ及び下カバー２２ｂからなる本体側筐体２２を有している。本体側筐体２２の内部には、図示されていない基板、ＣＰＵ、バッテリに加えて、各種メモリやＨＤＤ等の記憶装置等が収納されている。下カバー２２ｂの底面には、電子機器１を机等の上に設置した際に電子機器１を支持する図示されていない脚部が設けられている。
【００１４】
次に、図１〜図１０を用いて、本実施形態に係る電子機器１のペン保持機構４０の構成について説明する。
【００１５】
電子機器１の本体側筐体２２の右側面２２ｃには、図１（Ｂ）及び図２に示すように、ペン１００（図４等）を保持するためのペン保持機構４０が設けられている。ペン保持機構４０は、ペン１００のペン先１１０を保持する第一保持部４１と、ペン１００の胴部１２０を保持する第二保持部４２と、を有している。
【００１６】
第一保持部４１は、図４に示す回動軸Ａ（図１（Ｂ）の上下方向に延在する軸）を中心に回動するように構成されたキャップ４１ａを有している。キャップ４１ａは、非使用時には、図２に示すように本体側筐体２２の右側面２２ｃに形成された収納穴２２ｄに収納されて外部に突出しないようになっている。一方、キャップ４１ａは、使用時には、図３〜図５に示すように本体側筐体２２の右側面２２ｃから外部に突出し、内側に設けられたペン先保持用凹部４１ｂ（図６）でペン先１１０を保持するように構成されている。
【００１７】
キャップ４１ａの先端（回動軸Ａと反対側の端部）は、ペン１００のペン先１１０を係止させる係止部４１ｃとなっている。ペン先１１０を係止部４１ｃに係止させてキャップ４１ａを外部に引き出す外力を加えることにより、キャップ４１ａを本体側筐体２２の右側面２２ｃから外部に突出させることができる。係止部４１ｃの形状は、ペン先１１０が係止するような形状であれば特に限定されるものではない。収納穴２２ｄは、図１（Ｂ）及び図２に示すように前後方向に所定長さ延在するように略矩形状に形成されており、その開口面積は、キャップ４１ａの露出面（キャップ４１ａを収納穴２２ｄに収納した場合に右側面２２ｃ側に露出する面）の面積よりも若干大きく設定されている。これによりキャップ４１ａの周囲に間隙が形成されるため、回動したキャップ４１ａの周縁部が収納穴２２ｄの枠に干渉することがない。収納穴２２ｄのうちキャップ４１ａの係止部４１ｃ側に位置する部分は、ペン先１１０を挿入し易くするために、図２に示すような半円形状に形成されている。
【００１８】
キャップ４１ａの回動軸Ａの周囲には、図４に示すように、キャップ４１ａを本体側筐体２２の収納穴２２ｄへと引き込むような付勢力（弾性力）をキャップ４１ａに対して常時付与するコイルスプリング４１ｄが設けられている。コイルスプリング４１ｄは、キャップ４１ａを外部に引き出す外力を除去したときにキャップ４１ａを収納穴２２ｄへと引き込む引込機構として機能するものである。回動軸Ａ及びコイルスプリング４１ｄは、図４に示すように、本体側筐体２２の内部に配置されたブラケット４１ｅによって覆われている。
【００１９】
第二保持部４２は、図７に示すように、ペン１００の胴部１２０に設けられた突出部１３０（図８）を挿入させる穴部４２ａを有している。本実施形態においては、図８に示すように、ペン１００の胴部１２０のうちペン先１１０と反対側の端部付近に、平面視略矩形状を呈し所定の高さを有する略直方体状の突出部１３０を設けている。第二保持部４２の穴部４２ａは、図７に示すように、突出部１３０の平面形状よりも若干大きい略矩形状の平面形状を呈し、突出部１３０の高さと同程度の寸法の深さを有している。
【００２０】
ペン１００の突出部１３０の端部（ペン先１１０と反対側の端部）には、図８〜図１０に示すように、断面円弧形状を呈する凹部１４０が形成されている。一方、第二保持部４２の穴部４２ａは、図９及び図１０に示すように、ペン１００の突出部１３０を穴部４２ａに挿入させたときにペン１００の凹部１４０に係止する凸部４２ｂが設けられている。
【００２１】
第一保持部４１のキャップ４１ａでペン１００のペン先１１０を保持させた状態で、ペン１００の胴部１２０に設けられた突出部１３０を第二保持部４２の穴部４２ａに挿入し、ペン１００の凹部１４０に第二保持部４２の凸部４２ｂを係止させると、第一保持部４１のコイルスプリング４１ｄの付勢力により、ペン１００全体が後側へと押されるため、ペン１００の凹部１４０が第二保持部４２の凸部４２ｂに押し付けられる。これにより、凹部１４０と凸部４２ｂとの係止状態が維持され、ペン１００の本体側筐体２２への装着状態が維持される。一方、ペン１００を取り外す際には、第一保持部４１のコイルスプリング４１ｄの付勢力に抗してペン１００を前側に移動させることにより、凹部１４０と凸部４２ｂとの係止状態を容易に解除することができる。
【００２２】
ペン１００の突出部１３０の表面には、図８に示すように、ペン側端子１５０が設けられている。一方、第二保持部４２の穴部４２ａには、図７に示すように、ペン側端子１５０に接触して電気的に接続される筐体側端子４２ｃが設けられている。第二保持部４２の穴部４２ａにペン１００の突出部１３０を挿入したときに、本体側筐体２２の内部に設けられたバッテリの電力を、筐体側端子４２ｃ及びペン側端子１５０を経由して、ペン１００の内部に設けられた（図示されていない）蓄電池へと供給することができる。
【００２３】
本実施形態におけるペン１００の胴部１２０の全体は、磁力によって吸着される特定の金属材料（鉄等）によって構成されている。すなわち、ペン１００の胴部１２０の各部分は、磁力によって吸着される被吸着部分とされている。また、本体側筐体２２の右側面２２ｃの内側には、図５に示すように、特定の金属材料によって構成された胴部１２０を吸着させる磁性体５０を有している。磁性体５０は、第一保持部４１と第二保持部４２の間の領域に配置される。磁性体５０の磁力の強さや個数は、ペン１００の重量、ペン１００の長さ、本体側筐体２２の壁の厚さ等に応じて適宜設定することができる。なお、ペン１００の胴部１２０全体を金属材料で構成する代わりに、胴部１２０に磁石を内蔵しておくことにより胴部１２０を磁性体５０に吸着させることもできる。
【００２４】
次に、本実施形態に係る電子機器１の本体側筐体２２に対するペン１００の装着・取外方法について説明する。
【００２５】
＜装着方法＞
最初に、電子機器１の本体側筐体２２にペン１００を装着する方法について説明する。まず、ユーザは、ペン１００のペン先１１０を、第一保持部４１の係止部４１ｃに係止させて、キャップ４１ａを外部に引き出す外力を加えることにより、キャップ４１ａを本体側筐体２２の右側面２２ｃから外部に突出させ、キャップ４１ａの内側に設けられたペン先保持用凹部４１ｂでペン先１１０を保持させる。次いで、ユーザは、ペン１００のペン先１１０を保持させた状態で、ペン１００の胴部１２０に設けられた突出部１３０を第二保持部４２の穴部４２ａに挿入し、ペン１００の凹部１４０に第二保持部４２の凸部４２ｂを係止させる。すると、第一保持部４１のコイルスプリング４１ｄの付勢力によりペン１００全体が後側へと押されるため、ペン１００の凹部１４０が第二保持部４２の凸部４２ｂに押し付けられ、これにより、凹部１４０と凸部４２ｂとの係止状態が維持され、ペン１００の本体側筐体２２への装着状態が維持される。
【００２６】
＜取外方法＞
次に、電子機器１の本体側筐体２２からペン１００を取り外す方法について説明する。まず、ユーザは、第一保持部４１のコイルスプリング４１ｄの付勢力に抗してペン１００を前側に移動させることにより、ペン１００の凹部１４０と第二保持部４２の凸部４２ｂとの係止状態を解除し、その後、第二保持部４２の穴部４２ａに挿入されていたペン１００の突出部１３０を穴部４２ａから引き出す。次いで、ユーザは、ペン１００のペン先１００を第一保持部４１のキャップ４１ａから取り外す。ペン１００をキャップ４１ａから取り外すと、キャップ４１ａは、コイルスプリング４１ｄの付勢力により、自動的に本体側筐体２２の収納穴２２ｄへと収納される。
【００２７】
以上説明した実施形態に係る電子機器１においては、本体側筐体２２の右側面２２ｃに設けられた第一保持部４１及び第二保持部４２により、ペン１００のペン先１１０及び胴部１２０を各々保持することができる。すなわち、二箇所でペン１００を保持することができるため、一箇所でペンを保持する従来の機構と比較するとより確実にペン１００を保持することができる。また、第一保持部４１によりペン先１１０を保持することができるため、ペン先１１０に外力が作用した場合においてもペン１００の装着状態が容易に解除されることがない。従って、本体側筐体２２にペン１００を装着した状態でカバンに電子機器１を収納したような場合においても、カバンの内壁や他の物品にペン１００が接触してペン１００が本体側筐体２２から外れることを防ぐことができる。
【００２８】
また、以上説明した実施形態に係る電子機器１においては、第一保持部４１のキャップ４１ａが、本体側筐体２２の右側面２２ｃから外部に突出した状態から、本体側筐体２２の内部に収納された状態へと移行可能とされているため、ペン先１１０を保持しないときにキャップ４１ａを本体側筐体２２の内部に収納することができる。従って、キャップ４１ａが本体側筐体２２の外部に常時突出することにより電子機器１の美観が損なわれることを防ぐことができるとともに、電子機器１の小型化を図ることができる。
【００２９】
また、以上説明した実施形態に係る電子機器１においては、第一保持部４１が、ペン先１１０を係止させる係止部４１ｃを有しているため、ペン先１１０を係止部４１ｃに係止させてキャップ４１ａを外部に引き出す外力を加えることにより、キャップ４１ａが本体側筐体２２の右側面２２ｃから外部に突出してペン先１１０を保持することができる。従って、ペン先１１０を保持するためにユーザがわざわざ手指を使ってキャップ４１ａを外部に引き出す必要がなくなるため、取扱い易くなる。
【００３０】
また、以上説明した実施形態に係る電子機器１においては、キャップ４１ａを外部に引き出す外力を除去したときに、コイルスプリング４１ｄの付勢力により、キャップ４１ａを本体側筐体２２の内部に自動的に引き込むことができる。従って、ユーザがわざわざ手指を使ってキャップ４１ａを本体側筐体２２の内部に収納する必要がなくなるため、取扱い易くなる。
【００３１】
また、以上説明した実施形態に係る電子機器１においては、ペン１００の胴部１２０に設けられた突出部１３０を、本体側筐体２２に設けられた第二保持部４２の穴部４２ａに挿入させることにより、ペン１００の胴部１２０を容易に保持させることができる。このようにペン１００側の突出部１３０を本体側の穴部４２ａに挿入して保持することにより、ペン１００の回転を抑制することができる。
【００３２】
また、以上説明した実施形態に係る電子機器１においては、ペン１００側の突出部１３０を本体側筐体２２側の穴部４２ａに挿入させたときに、突出部１３０に設けられた凹部１４０に、穴部４２ａに設けられた凸部４２ｂを係止させることができる。従って、穴部４２ａに挿入された突出部１３０が穴部４２ａから外れ難くなり、横から外力が加えられた場合にペン１００が本体側筐体２２から容易に外れることを抑制することができる。
【００３３】
また、以上説明した実施形態に係る電子機器１においては、本体側筐体２２の第二保持部４２によってペン１００の胴部１２０を保持したときに、本体側筐体２２に設けられたバッテリの電力を、筐体側端子４２ｃ及びペン側端子１５０を経由して、ペン１００へと供給することができる。従って、本体側筐体２２の第二保持部４２によってペン１００の胴部１２０を保持している間に、ペン１００に設けられた蓄電池を充電することが可能となる。
【００３４】
また、以上説明した実施形態に係る電子機器１においては、磁力によって吸着される材料で構成されたペン１００の胴部１２０を、本体側筐体２２に設けられた磁性体５０で吸着させることにより、ペン１００の胴部１２０を容易に保持することができる。
【００３５】
なお、以上の実施形態においては、ペン保持機構４０の第一保持部４１及び第二保持部４２によって二箇所でペン１００を保持した例を示したが、第一保持部４１を使用することなく、第二保持部４２による保持（突出部１３０の穴部４２ａへの挿入及び凸部４２ｂの凹部１４０への係止）と磁性体５０による吸着とによってペン１００を保持することもできる。このように保持すると、ペン１００が比較的取り外し易くなるため、ペン１００を頻繁に使用するような状況では便利である。
【００３６】
また、以上の実施形態においては、ペン１００の胴部１２０に突出部１３０を設ける一方、第二保持部４２に穴部４２ａを設けた例を示したが、ペン１００の胴部１２０に穴部を設ける一方、第二保持部４２に突出部を設け、第二保持部４２の突出部をペン１００の穴部に挿入するような構成を採用してもよい。
【００３７】
また、以上の実施形態においては、ペン１００の突出部１３０に凹部１４０を設ける一方、第二保持部４２の穴部４２ａに凸部４２ｂを設けた例を示したが、ペン１００の突出部１３０に凸部を設ける一方、第二保持部４２の穴部４２ａに凹部を設け、ペン１００の凸部を第二保持部４２の凹部に係止させるような構成を採用してもよい。
【００３８】
また、以上の実施形態においては、ペン１００に設けたペン側端子１５０と、本体側筐体２２に設けた筐体側端子４２ｃと、を接触させることにより本体側筐体２２側の電力をペン１００側に供給して充電を行う例を示したが、非接触方式により電力の授受を行って充電を行うこともできる。
【００３９】
また、以上の実施形態においては、本体側筐体２２の右側面２２ｃにペン保持機構４０を設けた例を示したが、本体側筐体２２の左側面に同様のペン保持機構を設けることもできる。また、蓋体側筐体１２の右側面（又は左側面）にペン保持機構を設けてもよい。
【００４０】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４１】
１…電子機器、２２…本体側筐体、２２ｃ…右側面（一側面）、４１…第一保持部、４１ａ…キャップ、４１ｃ…係止部、４１ｄ…コイルスプリング（引込機構）、４２…第二保持部、４２ａ…穴部、４２ｂ…凸部、４２ｃ…筐体側端子、５０…磁性体、１００…ペン、１１０…ペン先、１２０…胴部（被吸着部分）、１３０…突出部、１４０…凹部、１５０…ペン側端子
【図１】
2019016087.tif 000003
【図２】
2019016087.tif 000004
【図３】
2019016087.tif 000005
【図４】
2019016087.tif 000006
【図５】
2019016087.tif 000007
【図６】
2019016087.tif 000008
【図７】
2019016087.tif 000009
【図８】
2019016087.tif 000010
【図９】
2019016087.tif 000011
【図１０】
2019016087.tif 000012
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
ペン先と胴部とを有するペンを装着可能な筐体を備える電子機器であって、
前記筐体の一側面には、前記ペン先を保持する第一保持部と、前記胴部を保持する第二保持部と、が設けられており、
前記胴部は、ペン側端子を有し、
前記第二保持部は、前記ペン側端子に電気的に接続される筐体側端子を有し、
前記第二保持部によって前記胴部を保持したときに、前記筐体に設けられた電源の電力が、前記筐体側端子及び前記ペン側端子を経由して、前記ペンへと供給可能とされ、
前記胴部は、磁力によって吸着される被吸着部分を有し、
前記筐体の前記一側面には、前記被吸着部分を吸着させる磁性体が設けられており、
前記第一保持部を使用することなく、前記第二保持部による保持と前記磁性体による吸着とによって前記ペンを保持可能である、電子機器。
【請求項２】
前記第一保持部は、前記筐体の前記一側面から外部に突出した状態から、前記筐体の内部に収納された状態へと移行可能とされるキャップを有する、請求項１に記載の電子機器。
【請求項３】
前記キャップは、前記ペン先を係止させる係止部を有しており、
前記ペン先を前記係止部に係止させて前記キャップを外部に引き出す外力を加えることにより、前記キャップが前記筐体の前記一側面から外部に突出して前記ペン先を保持する、請求項２に記載の電子機器。
【請求項４】
前記外力を除去したときに前記キャップを前記筐体の内部に引き込む引込機構を備える、請求項３に記載の電子機器。
【請求項５】
前記胴部は、突出部を有し、
前記第二保持部は、前記突出部を挿入させる穴部を有する、請求項１から４の何れか一項に記載の電子機器。
【請求項６】
前記突出部は、凹部を有し、
前記穴部は、前記突出部を前記穴部に挿入させたときに前記凹部に係止する凸部を有する、請求項５に記載の電子機器。
【請求項７】
前記突出部は、凸部を有し、
前記穴部は、前記突出部を前記穴部に挿入させたときに前記凸部を係止させる凹部を有する、請求項５に記載の電子機器。
【請求項８】
前記胴部は、穴部を有し、
前記第二保持部は、前記穴部に挿入される突出部を有する、請求項１から４の何れか一項に記載の電子機器。